(57)【要約】【課題】フレネルレンズスクリーン外に投影されたオーバースキャン光Ｌｏを遮光する。【解決手段】スクリーン組立体２０Ａは、背面２１ａ側から入射した映像光Ｌｅを前面２１ｂ側に結像させるフレネルレンズスクリーン２１と、背面２１ａ及び前面２１ｂの面積より大きな面積を有し、スクリーン２１の前面２１ｂを前面２１ｂと対向する背面２２ａに保持すると共に、スクリーン２１の背面２１ａ側から入射した映像光によって形成された投影像を背面２２ａの反対面である前面２２ｂから視認可能な光透過性を有するスクリーン保持体２２と、スクリーン２１の側面を枠状に囲み、少なくともその一部が背面２１ａ側に突出するように設けられる遮光材２３とを備えて構成されている。【選択図】図２
2010152123.tif 000002
【特許請求の範囲】
【請求項１】
フレネルレンズを有し、第一の面側から入射した映像光を第二の面側に射出させる光透過性のスクリーンと、
前記第一の面及び前記第二の面の面積より大きな面積を有し、前記スクリーンの前記第二の面を前記第二の面と対向する第三の面に保持すると共に、前記スクリーンの前記第一の面側から入射した映像光によって形成された投影像を前記第三の面の反対面である第四の面から視認可能な光透過性を有するスクリーン保持体と、
前記スクリーンの側面を枠状に囲み、少なくともその一部が前記第一の面側に突出するように設けられる遮光材と、
を備えたことを特徴とするスクリーン組立体。
【請求項２】
前記スクリーン保持体は、その厚みが前記スクリーンの厚みより厚く、前記スクリーン保持体の前記第三の面側に前記スクリーンの厚み以上の深さであって、前記スクリーンと前記遮光材とを合わせた面積以上の面積に形成した凹部を有し、
前記凹部内に、前記スクリーンが前記第二の面を対向して保持されると共に、前記スクリーンの側面に前記遮光材が設けられていることを特徴とする請求項１記載のスクリーン組立体。
【請求項３】
前記遮光材の第一の側面側は、前記スクリーンの厚みより厚く、前記第一の面側に突出し、
前記遮光材の前記第一の側面側と対向する第二の側面側は、前記スクリーンの厚みに略等しく、
前記遮光材の前記第一の側面側と前記第二の側面側とを繋ぐ第三の側面側及び第四の側面側は、前記スクリーンの厚み以上の厚みに設定されていることを特徴とする請求項１または請求項２記載のスクリーン組立体。
【請求項４】
前記スクリーンは、前記スクリーン保持体の前記第三の面側または前記第三の面側の前記凹部内に一体的に固着されるか、又は、前記第三の面側または前記第三の面側の前記凹部内に一体形成されることを特徴とする請求項１乃至請求項３のいずれか１項に記載のスクリーン組立体。
【請求項５】
前記遮光材は、所定の厚みを有する金属性または樹脂製であることを特徴とする請求項１乃至請求項４のいずれか１項に記載のスクリーン組立体。
【請求項６】
前記スクリーンは、前記スクリーン保持体の前記第三の面側の前記凹部内に一体的に固着されるか、又は、前記第三の面側の前記凹部内に一体形成され、前記遮光材は、前記第三の面側の前記凹部内の側面に入射した光を透過させない塗料であることを特徴とする請求項１乃至請求項４のいずれか１項に記載のスクリーン組立体。
【請求項７】
請求項１乃至請求項６のいずれか１項記載のスクリーン組立体と、
外部からの入力信号に基づき前記映像光を射出する投射部と、
前記投射部から射出された映像光を前記スクリーン組立体に向けて反射し拡大投影する反射鏡と、
前記スクリーン組立体を上面側に立設し、且つ、内部に前記投射部及び前記反射鏡を備える筐体と、
を備えたことを特徴とする背面投射型映像表示装置。
【発明の詳細な説明】
【技術分野】
【０００１】
本発明は、投射部から射出された映像光を、光透過性を有するスクリーンに背面投射する際に、映像光の外周域に生じるオーバースキャン光を遮光することができるスクリーン組立体及び背面投射型映像表示装置に関するものである。
【背景技術】
【０００２】
従来、画像表示素子（光変調素子）の一種である例えば液晶パネル内に表示された映像を投射光学系により拡大してスクリーンに投射する投射型映像表示装置は各種の構造形態があり、スクリーンの前方から投射する前面投射型映像表示装置と、スクリーンの後方から投射する背面投射型映像表示装置とに大別できるが、背面投射型映像表示装置の方が前面投射型映像表示装置よりも小型で設置面積が小さいので多く用いられている。
【０００３】
上記した背面投射型映像表示装置において、投射部から投影された映像をスクリーンの背面に投影する際に、スクリーンの画面サイズ（又は外形サイズ）に完全に合わせて映像を投影することは困難であり、スクリーンの周辺部で映像が欠けることを防止するために、スクリーンの画面サイズ（又は外形サイズ）よりもやや大きい映像サイズで投影する、いわゆるオーバースキャンが行なわれており、スクリーンの画面サイズ（又は外形サイズ）の外側に投影された投影光はオーバースキャン光と呼称されている。
【０００４】
この際、下記の特許文献１に開示されたフレネルレンズシート及び背面投射型ディスプレイ装置には、図示を省略するものの、透明パネルとレンチキュラーレンズシートとフレネルレンズシートとをこの順に重ね合わせてスクリーンを構成し、且つ、スクリーンの透明パネル側にフレネルレンズシートの外形サイズよりも一回り小さく開口した窓枠部を形成した不透明なスクリーン枠を配置して、フレネルレンズシートの背面側から映像を投影する構成が開示されているが、この特許文献１では、フレネルレンズシートの背面の外周部位に投影されたオーバースキャン光を窓枠部の外側に位置する不透明なスクリーン枠で遮光すると共に、フレネルレンズシートの背面の外周部位に投影されたオーバースキャン光がフレネルレンズシートで反射されて生じる迷光を防止するために、フレネルレンズシートの背面の外周部位に沿って平坦部を形成している旨が記載されている。
【特許文献１】特開平１１−１３３５０９号公報
【発明の開示】
【発明が解決しようとする課題】
【０００５】
ところで、上記した特許文献１に開示されたフレネルレンズシート及び背面投射型ディスプレイ装置では、前述したように、フレネルレンズシートの背面の外周部位に投影されたオーバースキャン光を遮光するために窓枠部の外側に位置するスクリーン枠を不透明にしなければならない。
【０００６】
一方、スクリーン組立体及び背面投射型映像表示装置を新たに開発するにあたって、フレネルレンズを有するスクリーンの背面に投影した映像をこのスクリーンの前面側から見たときに映像を空中に浮遊している感じで表示させたいという要望があり、この要望を満たすためにはフレネルレンズを有するスクリーンの外側周辺を透明なスクリーン保持体で覆う必要があるので、この場合にオーバースキャン光を透明なスクリーン保持体に対して遮光するためには上記した特許文献１に開示された技術的思想を適用できないという新たな問題が生じる。
【０００７】
また、上記した特許文献１に開示されたフレネルレンズシート及び背面投射型ディスプレイ装置では、前述したように、不透明なスクリーン枠内にフレネルレンズシートの外形サイズよりも一回り小さく窓枠部を開口しているので、窓枠部内の画面サイズが小さくなってしまうと共に、フレネルレンズシートの全面積を有効に利用できないという問題がある。
【０００８】
そこで、光透過性を有して矩形状に形成されたフレネルレンズを有するスクリーンと、このスクリーンの外側周辺を覆いながらスクリーンを保持した透明なスクリーン保持体とでスクリーン組立体を構成し、投射部からオーバースキャンして投影された映像光を、反射鏡を介してスクリーンの背面に入射して映像光をこのスクリーンの前面側に射出する際に、スクリーン外に投影されたオーバースキャン光を遮光することができるスクリーン組立体及び背面投射型映像表示装置を提供することを目的とする。
【課題を解決するための手段】
【０００９】
１）上記の目的を達成するために、本実施形態のスクリーン組立体は、
フレネルレンズを有し、第一の面側から入射した映像光を第二の面側に結像させる光透過性のスクリーンと、
前記第一の面及び前記第二の面の面積より大きな面積を有し、前記スクリーンの前記第二の面を前記第二の面と対向する第三の面に保持すると共に、前記スクリーンの前記第一の面側から入射した映像光によって形成された投影像を前記第三の面の反対面である第四の面から視認可能な光透過性を有するスクリーン保持体と、
前記スクリーンの側面を枠状に囲み、少なくともその一部が前記第一の面側に突出するように設けられる遮光材と、
を備えたことを特徴とする。
【００１０】
２）上記の目的を達成するために、本実施形態のスクリーン組立体において、
前記スクリーン保持体は、その厚みが前記スクリーンの厚みより厚く、前記スクリーン保持体の前記第三の面側に前記スクリーンの厚み以上の深さであって、前記スクリーンと前記遮光材とを合わせた面積以上の面積に形成した凹部を有し、
前記凹部内に、前記スクリーンが前記第二の面を対向して保持されると共に、前記スクリーンの側面に前記遮光材が設けられていることを特徴とする。
【００１１】
３）上記の目的を達成するために、本実施形態のスクリーン組立体において、
前記遮光材の第一の側面側は、前記スクリーンの厚みより厚く、前記第一の面側に突出し、
前記遮光材の前記第一の側面側と対向する第二の側面側は、前記スクリーンの厚みに略等しく、
前記遮光材の前記第一の側面側と前記第二の側面側とを繋ぐ第三の側面側及び第四の側面側は、前記スクリーンの厚み以上の厚みに設定されていることを特徴とする。
【００１２】
４）上記の目的を達成するために、本実施形態のスクリーン組立体において、
前記スクリーンは、前記スクリーン保持体の前記第三の面側または前記第三の面側の前記凹部内に一体的に固着されるか、又は、前記第三の面側または前記第三の面側の前記凹部内に一体形成されることを特徴とする。
【００１３】
５）上記の目的を達成するために、本実施形態のスクリーン組立体において、
前記遮光材は、所定の厚みを有する金属性または樹脂製であることを特徴とする。
【００１４】
６）上記の目的を達成するために、本実施形態のスクリーン組立体において、
前記スクリーンは、前記スクリーン保持体の前記第三の面側の前記凹部内に一体的に固着されるか、又は、前記第三の面側の前記凹部内に一体形成され、前記遮光材は、前記第三の面側の前記凹部内の側面に入射した光を透過させない塗料であることを特徴とする。
【００１５】
７）上記の目的を達成するために、本実施形態の背面投射型映像表示装置は、上記した１）〜６）のいずれか１項記載のスクリーン組立体と、
外部からの入力信号に基づき前記映像光を射出する投射部と、
前記投射部から射出された映像光を前記スクリーン組立体に向けて反射し拡大投影する反射鏡と、
前記スクリーン組立体を上面側に立設し、且つ、内部に前記投射部及び前記反射鏡を備える筐体と、
を備えたことを特徴とする。
【発明の効果】
【００１６】
本発明に係るスクリーン組立体によれば、投射部からオーバースキャンして投影された映像光のうちでフレネルレンズを有するスクリーンの外に投影されたオーバースキャン光がスクリーン保持体の映像光の入射面側から反対面側に透過しないので良好な映像を見ることができると共に、ユーザーがスクリーンに表示された映像を見たときに、映像が空中に浮遊している感じで表示されるので高級感を持たせることができる。
【００１７】
また、スクリーン組立体の一部を構成するフレネルレンズを有するスクリーンが、スクリーン保持体に一体的に固着又は一体形成されている場合に、スクリーンとスクリーン保持体とによる構造が簡単であり、安価に作製することができる。
【００１８】
また、スクリーン組立体の一部を構成するフレネルレンズを有するスクリーンが、スクリーン保持体の背面に形成した矩形状凹部内に固着又は一体形成されている場合に、スクリーンがスクリーン保持体の背面から飛び出さないように保護されるので、フレネルレンズスクリーンが破損するリスクは低減される。
【００１９】
更に、本発明に係る背面投射型映像表示装置によれば、上記した本発明に係るスクリーン組立体を適用しているので、本発明に係るスクリーン組立体と同様の効果を得ることができる。
【発明を実施するための最良の形態】
【００２０】
以下に本発明に係るスクリーン組立体及び背面投射型映像表示装置の実施形態について、図１〜図８を用いて実施例１，実施例２，実施例３，実施例４の順に詳細に説明する。
【実施例１】
【００２１】
図１（ａ），（ｂ）は本発明に係る実施例１のスクリーン組立体及び本発明に係る背面投射型映像表示装置を示したＹ−Ｙ矢視断面図，背面図である。また、図２は本発明に係る実施例１のスクリーン組立体の組み立て順を示した斜視図である。また、図３は図１及び図２に示したフレネルレンズスクリーンを説明するための図であり、（ａ）は背面図，（ｂ）〜（ｄ）はフレネルレンズスクリーンの第１〜第３構造形態を断面して示したＹ−Ｙ矢視断面図である。更に、図４は本発明に係る実施例１のスクリーン組立体において、視認可能な光透過性を有するスクリーン保持体に対してオーバースキャン光を遮光する動作を説明するための縦断面図であり、（ａ）は実施例１に対する比較例を示し、（ｂ）は実施例１を示した図である。
【００２２】
尚、以下の説明において、本発明に係る背面投射型映像表示装置は、後述する実施例１〜実施例４のスクリーン組立体のうちいずれか一つを筐体の上面側に立設しているが、本発明に係る背面投射型映像表示装置では実施例１のスクリーン組立体を適用した場合について説明し、後述する実施例２〜実施例４のスクリーン組立体では背面投射型映像表示装置の説明を省略する。
【００２３】
図１（ａ），（ｂ）に示した如く、本発明に係る背面投射型映像表示装置１は、背面投射型として構成されており、この装置１の基台となるキャビネット２が箱状に形成されている。そして、キャビネット２の底面２ａは床上設置され、且つ、キャビネット２の上面２ｂの後方に投影用の窓２ｂ１が開口されて、この窓２ｂ１よりも前方の上面２ｂ側に後述する実施例１のスクリーン組立体２０Ａが立設されている。
【００２４】
また、キャビネット２の内部２ｃには、凹面反射鏡１１，光源１２，照明用レンズ１３，光変調素子の一種である例えば液晶パネル１４，投射レンズ１５をこの順に備えた投射部１０と、非球面反射鏡１６とが設けられて、両者１０，１６により斜め投射可能になっている。
【００２５】
即ち、投射部１０内の光源１２から放射された白色光を凹面反射鏡１１で反射させて照明用レンズ１３を通過した白色光で液晶パネル１４を照明し、外部からの入力信号に基づきこの液晶パネル１４に表示された映像に応じた映像光Ｌｅを投射レンズ１５により射出して非球面反射鏡１６で斜め上方に反射させ、且つ、反射した映像光Ｌｅをキャビネット２の上面２ｂに開口した窓２ｂ１を通過させて後述する実施例１のスクリーン組立体２０Ａの一部を構成するフレネルレンズ２１ａ１を背面２１ａ側に有するスクリーン（以下、フレネルレンズスクリーンと記す）２１の背面２１ａに投影して、フレネルレンズスクリーン２１で投影された映像光Ｌｅを前方に方向転換しながらこのスクリーン２１内を透過させて、このスクリーン２１の前面２１ｂ側に映像を表示することで、ユーザーはスクリーン２１の前面２１ｂ側に表示された映像を見ることができるように背面型投射映像装置１が構成されている。
【００２６】
図１では、超高圧水銀ランプやキセノンランプ等の凹面反射鏡１１，光源１２を有するランプが示されているが、ＬＥＤ（発光ダイオード）等の半導体光源を用いることもできる。
【００２７】
そして、この背面投射型映像表示装置１では、フレネルレンズスクリーン２１の周辺部で映像が欠けることを防止するために、フレネルレンズスクリーン２１の外形サイズよりもやや大きい映像サイズで投影する、いわゆるオーバースキャンが行なわれている。
【００２８】
投射部１０からオーバースキャンして投影された映像光Ｌｅは、非球面反射鏡１６を介してフレネルレンズスクリーン２１の背面２１ａ側に斜めに入射する。
【００２９】
この映像光Ｌｅがフレネルレンズスクリーン２１の前面２１ｂ側から射出する際、図１（ｂ）に想像線で示したように、フレネルレンズスクリーン２１の外形サイズの外側に映像光Ｌｅのうちでオーバースキャンされたオーバースキャン光Ｌｏが投影されないように対策が施されている。この際、スクリーン２１の位置における映像光Ｌｅの面積とスクリーン２１の面積の比率であるオーバースキャン率はフレネルレンズスクリーン２１の外形サイズに対して３％以下が望ましい。
【００３０】
一方、本発明に係る実施例１のスクリーン組立体２０Ａは、光透過性を有する樹脂材を用いて背面２１ａ及び前面２１ｂを有して矩形状に形成され、且つ、投射部１０からオーバースキャンして投影された映像光Ｌｅが背面２１ａ側に入射されてこの映像光Ｌｅが前面２１ｂ側から射出されるフレネルレンズスクリーン２１と、フレネルレンズスクリーン２１の前面２１ｂ及び外側周辺を覆いながらこのスクリーン２１を保持する光透過性のスクリーン保持体２２と、オーバースキャンして投影された映像光Ｌｅのうちでフレネルレンズスクリーン外に投影されたオーバースキャン光Ｌｏを遮光するために、フレネルレンズスクリーン２１の上側面（第１の側面）２１ｃ，下側面（第２の側面）２１ｄ，左側面（第３の側面）２１ｅ，右側面（第４の側面）２１ｆに沿って設けられた遮光材２３と、を備えて構成されている。
【００３１】
そして、スクリーン組立体２０Ａのスクリーン保持体２２がキャビネット２の前面２ｂと押さえ板３との間で略垂直に起立した状態で固定されている。固定方法としては、ネジ４や接着などの方法を用いることができる。
【００３２】
ここで、本発明に係る実施例１のスクリーン組立体２０Ａについてより具体的に説明する。
【００３３】
図２に示した如く、実施例１のスクリーン組立体２０Ａでは、光透過性を有するフレネルレンズスクリーン２１と、このフレネルレンズスクリーン２１よりも大きな面積な有し大形サイズに形成されて視認可能な光透過性を有するスクリーン保持体２２とがそれぞれ別体で形成されており、且つ、フレネルレンズスクリーン２１の前面２１ｂ側がスクリーン保持体２２の背面２２ａ上に接着剤などにより左右の中心線Ｙ−Ｙを略一致させて左右対称に一体的に固着されている。
【００３４】
このように、スクリーン組立体２０Ａは、フレネルレンズスクリーン２１とスクリーン保持体２２とを有し、構造が簡単であり、安価に作製することができる。
【００３５】
ここで、上記したフレネルレンズスクリーン２１は、投射部１０（図１）から非球面反射鏡１６を介して背面２１ａに斜めに投影した映像光Ｌｅを前面２１ｂ側に方向を変換する機能を備えており、図３（ａ）にも示したように、光透過性を有するアクリル樹脂などを用いて外形サイズが例えば５２インチで矩形状に形成されている。
【００３６】
また、フレネルレンズスクリーン２１は、その上下の側面２１ｃ，２１ｄ及び左右の側面２１ｅ，２ｆが平坦に形成されていると共に、背面２１ａに波状のフレネルレンズ２１ａ１を有する。フレネルレンズ２１ａ１の中心は、左右の中心線Ｙ−Ｙの延長線上でスクリーン２１の中心位置より下側面２１ｄ方向にずれており、同心円状のレンズが複数形成されている。
【００３７】
更に、フレネルレンズスクリーン２１を図３（ａ）に示した中心線Ｙ−Ｙに沿った断面の構造の例として、図３（ｂ）〜（ｄ）に示すような形態を取る。図３（ｂ）〜（ｄ）は、フレネルレンズスクリーン２１の断面を拡大して示す図である。
【００３８】
まず、図３（ｂ）に示した第１の構造形態では、フレネルレンズスクリーン２１の前面２１ｂ上に外光Ｌｇを遮光する遮光膜２１ｇと、投射部１０（図１）からの映像光Ｌｅを結像した後に前方に向かって拡散する乳白色の拡散膜２１ｈとが交互に各フレネルレンズ２１ａ１に対応して成膜等により形成されている。
【００３９】
次に、図３（ｃ）に示した第２の構造形態では、フレネルレンズスクリーン２１の前面２１ｂ上に外光Ｌｇを遮光する遮光膜２１ｇと、投射部１０（図１）からの映像光Ｌｅを結像した後に射出する光透過膜２１ｉとが交互に各フレネルレンズ２１ａ１に対応して成膜等により形成されていると共に、遮光膜２１ｇ及び光透過膜２１ｉ上に光透過膜２１ｉを透過した映像光Ｌｅを前方に向かって拡散する乳白色の拡散膜２１ｊが両膜２１ｇ，２１ｉ上の全面に亘って成膜等により形成されている。
【００４０】
次に、図３（ｄ）に示した第３の構造形態では、フレネルレンズスクリーン２１の前面２１ｂ上に外光Ｌｇを遮光する遮光膜２１ｇと、投射部１０（図１）からの映像光Ｌｅを結像した後に射出する光透過膜２１ｉとが交互に各フレネルレンズ２１ａ１に対応して成膜等により形成されていると共に、遮光膜２１ｇ及び光透過膜２１ｉ上に光透過膜２１ｉを透過した映像光Ｌｅを前方に向かって拡散するレンチキュラーレンズシート２１ｋが両膜２１ｇ，２１ｉ上の全面に亘って接着されている。
【００４１】
図２に戻り、上記したスクリーン保持体２２は、光透過性を有するアクリル樹脂などを用いてフレネルレンズスクリーン２１の外形サイズよりも大形に形成されており、このスクリーン２１の前面２１ｂ及びスクリーン２１の外側周辺を覆っている。また、スクリーン保持体２２の背面２２ａ及び前面２２ｂが共に平坦で両面２２ａ，２２ｂ間の厚みがＷ１に形成されていると共に、下方部位がキャビネット２に固定されるようになっている。
【００４２】
そして、ユーザーが光透過性を有するスクリーン保持体２２を通してフレネルレンズスクリーン２１の前面２１ｂ側に表示された映像を見たときに、映像が空中に浮遊している感じで表示されるので高級感を持たせることができる。
【００４３】
また、上記した遮光材２３は、厚みｔが１ｍｍ以下に設定され、且つ光を透過しない金属性の黒色薄板，樹脂製の黒色薄板，黒色フィルムなどを用いている。このため、この遮光材２３をフレネルレンズスクリーン２１の上下の側面２１ｃ，２１ｄ及び左右の側面２１ｅ，２１ｆに沿って設けることで、視認可能な光透過性を有するスクリーン保持体２２に対してオーバースキャン光Ｌｏを遮光する機能を備えているので、この遮光材２３は実施例１の要部を構成する部材である。
【００４４】
また、遮光材２３は、フレネルレンズスクリーン２１の上側面（第１の側面）２１ｃ及び下側面（第２の側面）２１ｄに沿って設けられる上側面遮光部２３ａ及び下側面遮光部２３ｂと、フレネルレンズスクリーン２１の左側面（第３の側面）２１ｅ及び右側面（第４の側面）２１ｆに沿って設けられる左側面遮光部２３ｃ及び右側面遮光部２３ｄとで矩形状に枠組みされて、各側面遮光部２３ａ〜２３ｄがフレネルレンズスクリーン２１の外側面２１ｃ〜２１ｆに接着剤などを用いて固着されている。
【００４５】
この際、遮光材２３は、フレネルレンズスクリーン２１の上側面２１ｃに沿って設けられる上側面遮光部２３ａの奥行き幅Ｂ１がフレネルレンズスクリーン２１の厚みＴより厚く設定され、フレネルレンズスクリーン２１の前面２１ｂ側に突出するように形成されている。また、フレネルレンズスクリーン２１の下側面２１ｄに沿って設けられる下側面遮光部２３ｂの奥行き幅Ｂ２は、フレネルレンズスクリーン２１の厚みＴと略等しく設定されている。更に、フレネルレンズスクリーン２１の左側面２１ｅ及び右側面２１ｄに沿って設けられる左側面遮光部２３ａｃ及び右側面遮光部２３ｄの各奥行き幅は、フレネルレンズスクリーン２１の厚みＴ以上に設定され、フレネルレンズスクリーン２１の前面２１ｂ側に突出するように形成されている。
【００４６】
この際、実施例１では、遮光材２３の上側面遮光部２３ａと下側面遮光部２３ｂとの間を連結する左側面遮光部２３ｃ及び右側面遮光部２３ｄは上方部位の奥行き幅がＢ１で下方部位の奥行き幅がＢ１より幅狭くＢ２に設定されて投射部１０（図１）からの光が入射する側がテーパ状に形成されている。各側面遮光部２３ａ〜２３ｄの作用については後で述べる。
【００４７】
ここで、実施例１に対する比較例のスクリーン組立体２０Ａ’と、実施例１のスクリーン組立体２０Ａの各動作について図４を用いて説明する。
【００４８】
まず、図４（ａ）に示した如く、実施例１に対する比較例のスクリーン組立体２０Ａ’の場合に、厚みがＷ１に形成されたスクリーン保持体２２の背面２２ａに厚みがＴに形成されたフレネルレンズスクリーン２１が接着されている。そのため、前述したように、フレネルレンズスクリーン２１の背面２１ａ側に形成した各フレネルレンズ２１ａ１に入射した外光Ｌｇはこのスクリーン２１の前面２１ｂに形成された拡散膜２２ｈで結像された後にスクリーン保持体２２の前面２２ｂ側に射出される。
【００４９】
ここで、フレネルレンズスクリーン２１には、外側面２１ｃ〜２１ｆ（図１〜図３）に沿って遮光材が設けられていないので、投射部１０（図１）からのオーバースキャン光Ｌｏはスクリーン保持体２２の背面２２ａから入射して前面２２ｂ側に射出される。そのため、ユーザーからはスクリーン保持体２２の前面２２ｂ側に射出されたオーバースキャン光Ｌｏが視界に入ってしまい、良好な映像を得ることができない。
【００５０】
次に、図４（ｂ）に示した如く、実施例１のスクリーン組立体２０Ａの場合は、厚みがＷ１に形成されたスクリーン保持体２２の背面２２ａ側に厚みがＴに形成されたフレネルレンズスクリーン２１を接着して、且つ、このフレネルレンズスクリーン２１の外側面２１ｃ〜２１ｆ（図１〜図３）に沿って遮光材２３を設けている。フレネルレンズスクリーン２１の背面２１ａに入射する映像光Ｌｅ及び外光Ｌｇの各動作は、実施例１に対する比較例と同様であるものの、オーバースキャン光Ｌｏは、遮光材２３の各側面遮光部２３ａ〜２３ｄによって遮光されるためにスクリーン保持体２２に入射しない。これによりユーザーは、光透過性を有するスクリーン保持体２２を通してフレネルレンズスクリーン２１の前面２１ｂに形成された拡散膜２１ｈに結像された映像を、空中で浮遊したような映像として良好に見ることができる。
【００５１】
この際、前述したように、遮光材２３の上側面遮光部２３ａの奥行き幅Ｂ１が、フレネルレンズスクリーン２１の厚みＴ以上に設定されていることにより、フレネルレンズスクリーン２１の上方側に投影されたオーバースキャン光Ｌｏは遮光材２３の上側面遮光部２３ａで確実に遮光されるために、オーバースキャン光Ｌｏはスクリーン保持体２２に入射することは全くない。
【００５２】
また、遮光材２３の下側面遮光部２３ｂの奥行き幅Ｂ２が、フレネルレンズスクリーン２１の厚みＴと略等しく設定されているので、フレネルレンズスクリーン２１の下方側に投影された映像光Ｌｅが遮光材２３の下側面遮光部２３ｂで遮光されることなくこのスクリーン２１の背面２１ａに確実に入射される。
【００５３】
また、遮光材２３の左側面遮光部２３ｃ及び右側面遮光部２３ｄは投射部１０（図１）からの光が入射する側がテーパ状に形成されているので、これらの左側面遮光部２３ｃ及び右側面遮光部２３ｄによってオーバースキャン光Ｌｏが確実に遮光されるために、オーバースキャン光Ｌｏはスクリーン保持体２２に入射することは全くない。
【００５４】
従って、実施例１では、フレネルレンズスクリーン２１の外側面２１ｃ〜２１ｆ（図１〜図３）に沿って設けられた遮光材２３によりオーバースキャン光Ｌｏがスクリーン保持体２２の前面２２ｂ側に投影されないので良好な映像を見ることができる。
【実施例２】
【００５５】
図５は本発明に係る実施例２のスクリーン組立体において、視認可能な光透過性を有するスクリーン保持体に対してオーバースキャン光を遮光する動作を説明するための縦断面図であり、（ａ）は実施例２に対する比較例を示し、（ｂ）は実施例２を示した図である。また、図６（ａ）〜（ｃ）は本発明に係る実施例２のスクリーン組立体を一部変形させた第１〜第３変形例を示した縦断面図である。
【００５６】
図５（ａ），（ｂ）に示した如く、実施例２に対する比較例のスクリーン組立体２０Ｂ’及び実施例２のスクリーン組立体２０Ｂでは、光透過性を有するフレネルレンズスクリーン２１と、このフレネルレンズスクリーン２１よりも大きな面積な有し大形サイズに形成されて視認可能な光透過性を有するスクリーン保持体２２とがそれぞれ別体で安価に形成されている点は実施例１と同様であるが、フレネルレンズスクリーン２１の前面２１ｂ側がスクリーン保持体２２の背面２２ａに形成した矩形状凹部２２ｃ（比較例），２２ｄ（実施例２）内に接着剤などを用いて一体的に固着されている点が実施例１と異なっている。
【００５７】
この際、フレネルレンズスクリーン２１は、スクリーン保持体２２の背面２２ａに形成した各矩形状凹部２２ｃ，２２ｄから飛び出さないように各矩形状凹部２２ｃ，２２ｄの深さがそれぞれ設定されている。これにより、フレネルレンズスクリーン２１は、スクリーン保持体２２の背面２２ａにより保護されているため、レンズが破損するリスクは低減される。
【００５８】
ここで、実施例２に対する比較例のスクリーン組立体２０Ｂ’と、実施例２のスクリーン組立体２０Ｂの各動作について説明する。
【００５９】
まず、図５（ａ）に示した如く、実施例２に対する比較例のスクリーン組立体２０Ｂ’の場合に、厚みがＷ２に形成されたスクリーン保持体２２の背面２２ａにフレネルレンズスクリーン２１の外形サイズに合わせて矩形状凹部２２ｃを形成した上でこの矩形状凹部２２ｃ内に厚みＴを有するフレネルレンズスクリーン２１が固着されているので、前述したように、フレネルレンズスクリーン２１の背面２１ａに入射した外光Ｌｇはこのスクリーンの前面２１ｂに形成された拡散膜２２ｈで結像された後にスクリーン保持体２２の前面２２ｂ側に射出される。
【００６０】
一方、フレネルレンズスクリーン２１の外側面２１ｃ〜２１ｆ（図１〜図３）に沿って遮光材が設けられていないので、投射部１０（図１）からのオーバースキャン光Ｌｏはスクリーン保持体２２の背面２２ａから入射して前面２２ｂ側に射出される。そのため、ユーザーは、スクリーン保持体２２の前面２２ｂ側に射出されたオーバースキャン光Ｌｏが視界に入ってしまい、良好な映像を得ることができない。
【００６１】
次に、図５（ｂ）に示した如く、実施例２のスクリーン組立体２０Ｂの場合は、スクリーン保持体２２の背面２２ａにフレネルレンズスクリーン２１の厚みＴより深く且つスクリーン２１の外形サイズに遮光材２３の上下左右の厚みｔ分を加算することでスクリーン２１と遮光材２３とを合わせた面積以上の面積を有して矩形状凹部２２ｄを形成した上でこの矩形状凹部２２ｄ内に厚みＴを有するフレネルレンズスクリーン２１を固着し、且つ、このフレネルレンズスクリーン２１の外側面２１ｃ〜２１ｆ（図１〜図３）に沿って遮光材２３を設けている。
【００６２】
そのため、フレネルレンズスクリーン２１の背面２１ａに入射する映像光Ｌｅ及び外光Ｌｇの各動作は実施例２に対する比較例と同様であるが、オーバースキャン光Ｌｏは遮光材２３の各側面遮光部２３ａ〜２３ｄによって遮光されるためにスクリーン保持体２２の前面２２ｂ側に投影されない。これにより、ユーザーは光透過性を有するスクリーン保持体２２を通してフレネルレンズスクリーン２１の前面２１ｂに形成された拡散膜２１ｈに結像された映像を、映像が空中に浮遊した状態として良好に見ることができる。
【００６３】
この際、フレネルレンズスクリーン２１の外側面２１ｃ〜２１ｆ（図１〜図３）に沿って設けられた遮光材２３は、実施例１と同様に、所定の厚みｔが１ｍｍ以下で矩形枠状に形成され且つ光を透過しない金属性の黒色薄板，樹脂製の黒色薄板，黒色フィルムなど用いているが、この実施例２の場合には上記に限ることなく、スクリーン組立体２０Ｂを、スクリーン保持体２２と、スクリーン保持体２２にフレネルレンズスクリーン２１より大きなサイズの矩形孔を貫通させてこの矩形孔の内側面に沿って黒色塗装を施した板とを貼り合わせた遮光材２３と、黒色塗装を施した矩形状孔凹部に挿入したフレネルレンズスクリーン２１とから形成しても良い。
【００６４】
また、遮光材２３は、実施例１と同様に、フレネルレンズスクリーン２１の厚みＴに対して、上側面遮光部２３ａの奥行き幅Ｂ１がＢ１≧Ｔに設定され、且つ、下側面遮光部２３ｂの奥行き幅Ｂ２がＢ２≒Ｔに設定されている。更に、上側面遮光部２３ａと下側面遮光部２３ｂとの間を連結する左側面遮光部２３ｃ及び右側面面遮光部２３ｄは、上方部位の奥行き幅がＢ１で下方部位の奥行き幅がＢ１より幅狭くＢ２に設定されて投射部１０（図１）からの光が入射する側がテーパ状に形成されている。これにより、実施例１と同様な動作が行なわれるので、遮光材２３の各側面遮光部２３ａ〜２３ｄでオーバースキャン光Ｌｏが確実に遮光されるために、この実施例２でもオーバースキャン光Ｌｏはスクリーン保持体２２の前面２２ｂ側に投影されることは全くない。
【００６５】
更に、スクリーン保持体２２は、遮光材２３の上側面遮光部２３ａの奥行き幅Ｂ１に対応して上方部位が上記した比較例の幅Ｗ２より広い幅Ｗ３で上部背面２２ａ１が前面２２ｂと平行に垂直に形成され、且つ、遮光材２３の下側面遮光部２３ｂの奥行き幅Ｂ２に対応して下方部位が上記幅Ｗ３よりも狭い幅Ｗ４で下部背面２２ａ２も前面２２ｂと平行に垂直に形成されているので、スクリーン保持体２２の上下の背面２２ａ１，２２ａ２が段違いに形成されている。
【００６６】
従って、実施例２でも、フレネルレンズスクリーン２１の外側面２１ｃ〜２１ｆ（図１〜図３）に沿って設けられた遮光材２３によりオーバースキャン光Ｌｏがスクリーン保持体２２の前面２２ｂ側に投影されないので、ユーザーは良好な映像を見ることができる。
【００６７】
次に、実施例２のスクリーン組立体２０Ｂを一部変形させた第１〜第３変形例について、図６（ａ）〜（ｃ）を用いて実施例２と異なる点についてのみ簡略に説明する。尚、図６（ａ）〜（ｃ）において、先に図５（ｂ）に示した実施例２と同じ構成部材に対して同一符番を付与して説明を省略する。
【００６８】
まず、図６(ａ)に示した如く、実施例２を一部変形させた第１変形例のスクリーン組立体２０Ｂ１では、フレネルレンズスクリーン２１の外側面２１ｃ〜２１ｆ（図１〜図３）に沿って遮光材２３を設ける。遮光材２３を設けた状態でこのフレネルレンズスクリーン２１をスクリーン保持体２２の背面２２ａに形成した矩形状凹部２２ｄ内に接着する際、スクリーン保持体２２は上方部位及び下方部位が共に同じ幅Ｗ３に形成している。
【００６９】
そのため、遮光材２３のうちでスクリーンの厚みＴ以上の奥行き幅Ｂ１に形成された上側面遮光部２３ａ側は、スクリーン保持体２２の背面２２ａと一致するものの、遮光材２３のうちで上記奥行き幅Ｂ１よりも狭い奥行き幅Ｂ２に形成された下側面遮光部２３ｂ側がスクリーン保持体２２の背面２２ａよりも引っ込んでしまう。そこで、スクリーン保持体２２の矩形状凹部２２ｄ内のうちで下方の内側面に沿ってＲ面取りをすることにより、このスクリーン２１の下方部位に投影された映像光Ｌｅに悪影響を与えないように対策が施されている。
【００７０】
次に、図６（ｂ）に示した如く、実施例２を一部変形させた第２変形例のスクリーン組立体２０Ｂ２では、フレネルレンズスクリーン２１の外側面２１ｃ〜２１ｆ（図１〜図３）に沿って遮光材２３を設ける。遮光材２３を設けた状態でこのフレネルレンズスクリーン２１をスクリーン保持体２２の背面２２ａ３に形成した矩形状凹部２２ｄ内に接着する際、遮光材２３のうちでスクリーンの厚みＴ以上の奥行き幅Ｂ１に形成された上側面遮光部２３ａの外側部位と、上記奥行き幅Ｂ１よりも狭い奥行き幅Ｂ２に形成された下側面遮光部２３ｂの外側部位とを結ぶ傾斜に沿ってスクリーン保持体２２の背面２２ａ３が傾斜して形成されている。そのため、スクリーン保持体２２の上端部位は幅Ｗ５となり、スクリーン保持体２２の下端部位は上記幅Ｗ５より狭い幅Ｗ６となることにより、このスクリーン２１の下方部位に投影された映像光Ｌｅに悪影響を与えないように対策が施されている。
【００７１】
次に、図６（ｃ）に示した如く、実施例２を一部変形させた第３変形例のスクリーン組立体２０Ｂ３では、フレネルレンズスクリーン２１の外側面２１ｃ〜２１ｆ（図１〜図３）に沿って遮光材２３を設ける。遮光材２３を設けた状態でこのフレネルレンズスクリーン２１をスクリーン保持体２２の背面２２ａに形成した矩形状凹部２２ｄ内に接着する際、スクリーン保持体２２は上方部位及び下方部位が共に同じ幅Ｗ３に形成されている。遮光材２３のうちでスクリーンの厚みＴ以上の奥行き幅Ｂ１に形成された上側面遮光部２３ａの内側部位と、上記奥行き幅Ｂ１よりも狭い奥行き幅Ｂ２に形成された下側面遮光部２３ｂの内側部位とを結ぶ傾斜に沿ってスクリーン保持体２２の矩形状凹部２２ｄの内側前面２２ｄ１が傾斜して形成されている。そのため、このスクリーン２１の下方部位に投影された映像光Ｌｅに悪影響を与えないように対策が施されている。
【実施例３】
【００７２】
図７は本発明に係る実施例３のスクリーン組立体において、視認可能な光透過性を有するスクリーン保持体に対してオーバースキャン光を遮光する動作を説明するための縦断面図であり、（ａ）は実施例３に対する比較例を示し、（ｂ）は実施例３を示した図である。
【００７３】
図７（ａ），（ｂ）に示した如く、実施例３に対する比較例のスクリーン組立体３０Ａ’及び実施例３のスクリーン組立体３０Ａでは、視認可能な光透過性を有するスクリーン保持体３１の背面３１ａ側にこのスクリーン保持体３１よりも小さい面積のフレネルレンズスクリーン３１ｃが突出した状態で一体形成されている点が実施例１，２とは異なっており、一体形成することにより部品数を削減することができる。
【００７４】
この際、フレネルレンズスクリーン３１ｃは、実施例１，２と同様に、波状のフレネルレンズ３１ｃ１を複数有して例えば５２インチの矩形状に形成されて、このスクリーン３１ｃのスクリーン３１ｃの外側周辺がスクリーン保持体３１の前面３１ｂ側で覆われることになる。
【００７５】
上記に伴って、スクリーン保持体３１の前面３１ｂ上に外光Ｌｇを遮光する遮光膜３１ｄと、投射部１０（図１）からの映像光Ｌｅを結像した後に前方に向かって拡散する乳白色の拡散膜３１ｅとが交互に各フレネルレンズ３１ｃ１に対応して成膜等により形成されている。
【００７６】
ここで、実施例３に対する比較例のスクリーン組立体３０Ａ’と、実施例３のスクリーン組立体３０Ａの各動作について説明する。
【００７７】
まず、図７（ａ）に示した如く、実施例３に対する比較例のスクリーン組立体３０Ａ’の場合に、背面３１ａと前面３１ｂとの間の厚みがＷ１に形成されたスクリーン保持体３１の背面３１ａ側に厚みがＴに形成されたフレネルレンズスクリーン３１ｃが一体的に突出形成されている。そのため、フレネルレンズスクリーン３１ｃに形成した各フレネルレンズ３１ｃ１に入射した外光Ｌｇは、各フレネルレンズ３１ｃ１によりスクリーン保持体３１の前面３１ｂに形成された拡散膜３１ｅで結像された後に前方に射出される。
【００７８】
一方、フレネルレンズスクリーン３１ｃの外側面（図示せず）に沿って遮光材が設けられていない。投射部１０（図１）からのオーバースキャン光Ｌｏは、スクリーン保持体３１の背面３１ａから入射して前面３１ｂ側に射出される。そのため、ユーザーは、スクリーン保持体３１の前面３１ｂ側に射出されたオーバースキャン光Ｌｏが視界に入ってしまい、良好な映像を得ることができない。
【００７９】
次に、図７（ｂ）に示した如く、実施例３のスクリーン組立体３０Ａの場合に、背面３１ａと前面３１ｂとの間の厚みがＷ１に形成されたスクリーン保持体３１の背面３１ａに厚みがＴに形成されたフレネルレンズスクリーン３１ｃが一体的に突出形成され、且つ、このフレネルレンズスクリーン３１ｃの外側面（図示せず）に沿って遮光材２３が設けられている。そのため、フレネルレンズスクリーン３１ｃに形成した各フレネルレンズ３１ｃ１に入射する映像光Ｌｅ及び外光Ｌｇの各動作は、実施例３の比較例と同様であるものの、オーバースキャン光Ｌｏは遮光材２３の各側面遮光部２３ａ〜２３ｄによって遮光されるためにスクリーン保持体３１に入射されない。これによりユーザーは、スクリーン保持体３１の前面３１ｂに形成された拡散膜３１ｅに結像された映像を、映像が空中に浮遊したような状態として良好に見ることができる。
【００８０】
この際、フレネルレンズスクリーン３１ｃの外側面（図示せず）に沿って設けられた遮光材２３は、実施例１と同様に、所定の厚みｔが１ｍｍ以下で矩形枠状に形成され且つ光を透過しない金属性の黒色薄板，樹脂製の黒色薄板，黒色フィルムなど用いている。
【００８１】
また、遮光材２３は、実施例１，２と同様に、フレネルレンズスクリーン３１ｃの厚みＴに対して、上側面遮光部２３ａの奥行き幅Ｂ１がＢ１≧Ｔに設定され、且つ、下側面遮光部２３ｂの奥行き幅Ｂ２がＢ２≒Ｔに設定されていると共に、上側面遮光部２３ａと下側面遮光部２３ｂとの間を連結する左側面遮光部２３ｃ及び右側面遮光部２３ｄは上方部位の奥行き幅がＢ１で下方部位の奥行き幅がＢ１より幅狭くＢ２に設定されている。更に、投射部１０（図１）からの光が入射する側がテーパ状に形成されており、これにより実施例１，２と同様な動作が行なわれる。これにより、遮光材２３の各側面遮光部２３ａ〜２３ｄでオーバースキャン光Ｌｏが確実に遮光されるために、この実施例３でもオーバースキャン光Ｌｏはスクリーン保持体３１に入射することは全くない。
【００８２】
従って、実施例３でも、フレネルレンズスクリーン３１ｃの外側面（図示せず）に沿って設けられた遮光材２３によりオーバースキャン光Ｌｏがスクリーン保持体３１の前面３１ｂ側に投影されないので良好な映像を見ることができる。
【実施例４】
【００８３】
図８は本発明に係る実施例４のスクリーン組立体において、視認可能な光透過性を有するスクリーン保持体に対してオーバースキャン光を遮光する動作を説明するための縦断面図であり、（ａ）は実施例４に対する比較例を示し、（ｂ）は実施例４を示した図である。
【００８４】
図８（ａ），（ｂ）に示した如く、実施例４に対する比較例のスクリーン組立体３０Ｂ’及び実施例３のスクリーン組立体３０Ｂでは、視認可能な光透過性を有するスクリーン保持体３１の背面３１ａに形成した矩形状凹部３１ｆ（比較例），３１ｇ（実施例４）内にこのスクリーン保持体３１よりも小さい面積のフレネルレンズスクリーン３１ｃが突出した状態で一体形成されている点が実施例３と異なっている。
【００８５】
この際、フレネルレンズスクリーン３１ｃは、スクリーン保持体３１の背面３１ａに形成した各矩形状凹部３１ｆ，３１ｇ内から飛び出さないように各矩形状凹部３１ｆ，３１ｇの深さがそれぞれ設定されている。これにより、フレネルレンズスクリーン３１ｃは、スクリーン保持体３１の背面３１ａにより保護されて破損するリスクは低減される。
【００８６】
ここで、実施例４に対する比較例のスクリーン組立体３０Ｂ’と、実施例４のスクリーン組立体４０Ｂの各動作について説明する。
【００８７】
まず、図８（ａ）に示した如く、実施例４に対する比較例のスクリーン組立体３０Ｂ’の場合に、厚みがＷ２に形成されたスクリーン保持体３１の背面３１ａにフレネルレンズスクリーン３１ｃの外形サイズに合わせて矩形状凹部３１ｆを形成した上でこの矩形状凹部３１ｆ内に厚みＴを有するフレネルレンズスクリーン３１ｃが一体的に形成されている。これにより、前述したように、フレネルレンズスクリーン３１ｃに形成した各フレネルレンズ３１ｃ１に入射した映像光Ｌｅはスクリーン保持体３１の前面３１ｂに形成された拡散膜３１ｅで結像された後に前方に射出される。
【００８８】
一方、フレネルレンズスクリーン３１ｃの外側面（図示せず）に沿って遮光材が設けられていないので、投射部１０（図１）からのオーバースキャン光Ｌｏはスクリーン保持体３１の背面３１ａから入射して前面３１ｂ側に射出される。そのために、ユーザーはスクリーン保持体３１の前面３１ｂ側に射出されたオーバースキャン光Ｌｏが視界に入ってしまい、良好な映像を得ることができない。
【００８９】
次に、図８（ｂ）に示した如く、実施例４のスクリーン組立体３０Ｂの場合に、スクリーン保持体３１の背面３１ａ１にフレネルレンズスクリーン３１ｃのフレネルレンズスクリーン３１ｃの厚みＴより深く且つスクリーン３１ｃの外形サイズに遮光材２３の上下左右の厚みｔ分を加算することでスクリーン３１ｃと遮光材２３とを合わせた面積以上の面積を有して矩形状凹部３１ｇを形成した上でこの矩形状凹部３１ｇ内に厚みＴを有するフレネルレンズスクリーン３１ｃを一体形成し、且つ、このフレネルレンズスクリーン３１ｃの外側面（図示せず）に沿って遮光材２３を設けている。そのため、フレネルレンズスクリーン３１ｃに入射する映像光Ｌｅ及び外光Ｌｇの各動作は実施例４に対する比較例と同様であるが、オーバースキャン光Ｌｏは遮光材２３の各側面遮光部２３ａ〜２３ｄによって遮光されるためにスクリーン保持体３１の前面３１ｂ側に投影されない。これによりユーザーは、スクリーン保持体３１の前面３１ｂに形成された拡散膜３１ｅに結像された映像を空中に浮遊したような状態として良好に見ることができる。
【００９０】
この際、フレネルレンズスクリーン３１ｃの外側面（図示せず）に沿って設けられた遮光材２３は、実施例３と同様に、所定の厚みｔが１ｍｍ以下で矩形枠状に形成され且つ光を透過しない金属性の黒色薄板，樹脂製の黒色薄板，黒色フィルムなど用いている。
【００９１】
また、遮光材２３は、実施例１〜３と同様に、フレネルレンズスクリーン３１ｃの厚みＴに対して、上側面遮光部２３ａの奥行き幅Ｂ１がＢ１≧Ｔに設定され、且つ、下側面遮光部２３ｂの奥行き幅Ｂ２がＢ２≒Ｔに設定されている。更に、上側面遮光部２３ａと下側面遮光部２３ｂとの間を連結する左側面遮光部２３ｃ及び右側面遮光部２３ｄは上方部位の奥行き幅がＢ１で下方部位の奥行き幅がＢ１より幅狭くＢ２に設定されて投射部１０（図１）からの光が入射する側がテーパ状に形成されている。これにより実施例１〜３と同様な動作が行なわれるので、遮光材２３の各側面遮光部２３ａ〜２３ｄでオーバースキャン光Ｌｏが確実に遮光されるために、この実施例４でもオーバースキャン光Ｌｏはスクリーン保持体３１の前面３１ｂ側に投影されることは全くない。
【００９２】
更に、スクリーン保持体３１は、遮光材２３の上側面遮光部２３ａの奥行き幅Ｂ１に対応して上方部位が上記した比較例の幅Ｗ２より広い幅Ｗ３で上部背面３１ａ１が前面３１ｂと平行に垂直に形成され、且つ、遮光材２３の下側面遮光部２３ｂの奥行き幅Ｂ２に対応して下方部位が幅Ｗ３よりも狭い幅Ｗ４で下部背面３１ａ２も前面３１ｂと平行であって垂直方向に形成されているので、スクリーン保持体３１の上下の背面３１ａ１，３１ａ２が段違いに形成されている。
【００９３】
従って、実施例４でも、フレネルレンズスクリーン３１ｃの外側面（図示せず）に沿って設けられた遮光材２３によりオーバースキャン光Ｌｏがスクリーン保持体３１の前面３１ｂ側に投影されないので良好な映像を見ることができる。
【００９４】
尚、ここでの図示を省略するが、実施例４でも先に図６（ａ）〜（ｃ）を用いて説明した実施例２を一部変形させた第１〜第３変形例と同様な構造に変形させることが可能である。
【図面の簡単な説明】
【００９５】
【図１】（ａ），（ｂ）は本発明に係る実施例１のスクリーン組立体及び本発明に係る背面投射型映像表示装置を示したＹ−Ｙ矢視断面図，背面図である。
【図２】本発明に係る実施例１のスクリーン組立体の組み立て順を示した斜視図である。
【図３】図１及び図２に示したフレネルレンズスクリーンを説明するための図であり、（ａ）は背面図，（ｂ）〜（ｄ）はフレネルレンズスクリーンの第１〜第３構造形態を断面して示したＹ−Ｙ矢視断面図である。
【図４】本発明に係る実施例１のスクリーン組立体において、視認可能な光透過性を有するスクリーン保持体に対してオーバースキャン光を遮光する動作を説明するための縦断面図であり、（ａ）は実施例１に対する比較例を示し、（ｂ）は実施例１を示した図である。
【図５】本発明に係る実施例２のスクリーン組立体において、視認可能な光透過性を有するスクリーン保持体に対してオーバースキャン光を遮光する動作を説明するための縦断面図であり、（ａ）は実施例２に対する比較例を示し、（ｂ）は実施例２を示した図である。
【図６】（ａ）〜（ｃ）は本発明に係る実施例２のスクリーン組立体を一部変形させた第１〜第３変形例を示した縦断面図である。
【図７】本発明に係る実施例３のスクリーン組立体において、視認可能な光透過性を有するスクリーン保持体に対してオーバースキャン光を遮光する動作を説明するための縦断面図であり、（ａ）は実施例３に対する比較例を示し、（ｂ）は実施例３を示した図である。
【図８】本発明に係る実施例４のスクリーン組立体において、視認可能な光透過性を有するスクリーン保持体に対してオーバースキャン光を遮光する動作を説明するための縦断面図であり、（ａ）は実施例４に対する比較例を示し、（ｂ）は実施例４を示した図である。
【符号の説明】
【００９６】
１…背面投射型映像表示装置、
２…キャビネット、２ａ…底面、２ｂ…上面、２ｂ１…窓、２ｃ…内部、２ｄ…前面、
３…押さえ板、４…ネジ、
１０…投射部、１１…凹面反射鏡、１２…光源、１３…照明用レンズ、
１４…液晶パネル、１５…投射レンズ、１６…非球面反射鏡、
２０Ａ…実施例１のスクリーン組立体、
２０Ｂ…実施例２のスクリーン組立体、
２１…実施例１，２のフレネルレンズスクリーン、
２１ａ…背面、２１ａ１…フレネルレンズ、２１ｂ…前面
２１ｃ…第１の側面（上側面）、２１ｄ…第２の側面（下側面）、
２１ｅ…第３の側面（左側面）、２１ｆ…第４の側面（右側面）、
２１ｇ…遮光膜、２１ｈ…拡散膜、２１ｉ…光透過膜、２１ｊ…拡散膜、
２１ｋ…レンチキュラーレンズシート、
２２…実施例１，２のスクリーン保持体、２２ａ…背面、２２ｂ…前面、
２２ｃ，２２ｄ…矩形状凹部、２２ｄ１…矩形状凹部の内側前面、
２３…遮光材、２３ａ…上側面遮光部、２３ｂ…下側面遮光部、
２３ｃ…左側面遮光部、２３ｄ…右側面遮光部、
３０Ａ…実施例３のスクリーン組立体、
３０Ｂ…実施例４のスクリーン組立体、
３１…実施例３，４のスクリーン保持体、３１ａ…背面、３１ｂ…前面、
３１ｃ…実施例３，４のフレネルレンズスクリーン、３１ｃ１…フレネルレンズ、
３１ｄ…遮光膜、３１ｅ…拡散膜、３１ｆ，３１ｇ…矩形状凹部、
Ｔ…フレネルレンズスクリーンの厚み、ｔ…遮光材の厚み、
Ｗ１〜Ｗ６…スクリーン保持体の厚み、
Ｂ１…上側面遮光部２３ａの奥行き幅、Ｂ２…下側面遮光部２３ｂの奥行き幅。
【図１】
2010152123.tif 000003
【図２】
2010152123.tif 000004
【図３】
2010152123.tif 000005
【図４】
2010152123.tif 000006
【図５】
2010152123.tif 000007
【図６】
2010152123.tif 000008
【図７】
2010152123.tif 000009
【図８】
2010152123.tif 000010